(57)【要約】【課題】ハンガーバーを支持するサイドフラップの広がりを防止して耐久性を向上させたハンガーボックス構造を提供する。【解決手段】折り畳んだサイドフラップ３０ａに下方側から切り込みを設け、サイドフラップ３０ａの先端側に形成された下側ベロ１６ａを上側ベロ１８ａとともに内側に折り曲げることにより、下側ベロ１６ａが切り込み間に嵌め込まれて係止され、折り畳んだサイドフラップ３０ａが広がることを防止できる。これにより、折り畳むことで肉厚となったサイドフラップ３０ａに形成された切欠きによってハンガーバーを支持することとなり、ハンガーボックスの耐久性を向上させることができる。【選択図】図７
0003129680.tif 000002
【実用新案登録請求の範囲】
【請求項１】
筒状体とハンガーバーとを組み合わせて構成されたハンガーボックスであって、
前記筒状体は、
前記ハンガーバーに吊り下げられた衣類を収納する断面四角形状の有底中空体の本体部と、
該本体部の上端開口部の対向縁に連結されて該上端開口部を封止する前フラップおよび後フラップと、
前記上端開口部のうち前記前フラップおよび後フラップが付設されていない対向縁にそれぞれ基端側が連結されたサイドフラップと、より構成され、
前記サイドフラップは、先端側から前記筒状体の内側に向けて折り込まれて３重に重ねられ、さらに３重に重ねられた状態で前記本体部との連結線に沿って内側に向けて折り曲げられて前記本体部の内壁に重ねられ、
前記サイドフラップが前記本体部の内壁に重ねられた状態で、前記サイドフラップの下方側から１対の切り込みを設け、前記サイドフラップの先端側において前記１対の切り込み間に形成される下側ベロを前記本体部の内側に向けて折り曲げて、前記下側ベロよりも前記本体部の内側に形成された１対の切り込み間に嵌め込んで係止させ、
前記ハンガーバーは、前記サイドフラップに設けた切り欠きに両端を嵌め込むことによって組み付けられていることを特徴とするハンガーボックス。
【請求項２】
前記１対の切り込みは、上方側に行くにしたがって、前記切り込み間の幅が狭くなっていることを特徴とする請求項１に記載のハンガーボックス。
【請求項３】
前記本体部のうち前記前フラップが付設された前面において、
縦方向の一方側の縁が、上端から所定深さまで前記本体部の他の面と切り離され、
該切り離しの最深部から、縦方向の他方側の縁に向かって伸びる所定長さの切り込みが設けられ、
該切り込みの最深部から前記縦方向の他方側の縁の上端に向けて伸びる線を折れ曲がり線として、前記前面を前記本体部の外側に向けて折り曲げ可能となっていることを特徴とする請求項１または２に記載のハンガーボックス。
【請求項４】
前記ハンガーバーは、前記本体部の上端開口部近傍に取り付けられ、
前記後フラップは、前記筒状体の上端開口部の一部を封止し、その先端が下方側に向けて折り曲げられ、さらに先端が前記ハンガーバーの下面に重なるようにハンガーバーに向けて折り曲げてられ、
前記後フラップの先端を下方側に向けて折り曲げた際に形成された上下方向に広がる縦面に、上下方向に伸びる切り込みが設けられ、
前記ハンガーバーに引っ掛けられるハンガーのフック部の先端を前記縦面に形成された前記切り込みに差し込み可能となっていることを特徴とする請求項１から３のいずれか１に記載のハンガーボックス。
【請求項５】
前記ハンガーバーは、その両端部において、左右方向および下方に向かって伸びるベロを備え、
前記本体部の上端開口部の対向する縁にそれぞれ設けられた切り欠きに前記ハンガーバーの両端部を嵌め込んだ状態で、前記本体部の外側面に前記ベロが貼り付けられることを特徴とする請求項１から４のいずれか１に記載のハンガーボックス。
【請求項６】
前記ハンガーバーは、断面四角形の管状本体部と、断面Ｖ字形状の芯材とより構成され、
前記芯材は、Ｖ字形状の開口側を下方側に向けて前記管状本体部内に配置されていることを特徴とする請求項１から５のいずれか１に記載のハンガーボックス。
【請求項７】
前記本体部は、底側端部の開口縁にそれぞれ内側に折り曲げ可能なフラップを備え、
内側に折り曲げた前記フラップによって前記本体部の底面が構成され、
前記内側に折り曲げることによって重なったフラップのうち、前記本体部の内側に位置するフラップを、前記本体部の外側に位置するフラップよりも短く形成したことを特徴とする請求項１から６のいずれか１に記載のハンガーボックス。
【考案の詳細な説明】
【技術分野】
【０００１】
本考案は、引越等の際に衣類を吊り下げたままの状態で搬送するのに適した簡易構造のハンガーボックスに関する。
【背景技術】
【０００２】
従来、この種のハンガーボックスとして、例えば図１０の（ａ）、（ｂ）、（ｃ）に示すようなものがある。
図１０の（ａ）に示すように、ハンガーボックス１００は、筒状体１０１と、筒状態１０１の上方位置に取り付けられたハンガーバー１０２とより構成されている。
筒状体１０１は、四角形の筒状に形成された段ボールによって構成されている。
筒状体１０１は、特に図１０の（ｂ）に示すように、上側の開口端において対向縁に形成されたサイドフラップ１０４Ａ、１０４Ｂを有している。
このサイドフラップ１０４Ａ、１０４Ｂは内側に向けて２回折り込まれ、さらに折り込んだサイドフラップ１０４Ａ、１０４Ｂを筒状体１０１の内周面に重ねて上側開口端の対向面を肉厚にしている。
【０００３】
図１０の（ｃ）に示す断面図のように、サイドフラップ１０４Ｂには、折り込んだときに上方側に開口するように切り込み１０５Ｂが設けられている。同様にして、サイドフラップ１０４Ａにも上方側に開口する切り込み１０５Ａが設けられている。
この切り込み１０５Ａ、１０５Ｂ間にハンガーバー１０２の両端をそれぞれ嵌め込み、ハンガーバー１０２を支持している。
このように、内側に折り込んだサイドフラップ１０４Ａ、１０４Ｂが肉厚となっていることにより、ハンガーバー１０２に衣類を吊り下げた場合でも、ハンガーバー１０２を支持するサイドフラップ１０４Ａ、１０４Ｂが破損することなく、筒状体１０１の耐久性を向上させることができる。
【特許文献１】特許第３５５１２７１号
【考案の開示】
【考案が解決しようとする課題】
【０００４】
しかしながら従来のものは、内側に折り込んだサイドフラップ１０４Ａ、１０４Ｂが広がってしまうことがあり、サイドフラップ１０４Ａ、１０４Ｂが広がってしまった場合にはハンガーバー１０２の支持部が薄肉となり、耐久性が悪化するといった問題があった。
【課題を解決するための手段】
【０００５】
本考案はこのような問題点に鑑み、ハンガーバーを支持するサイドフラップの広がりを防止して耐久性を向上させたハンガーボックス構造を提供することを目的とする。
そのため本考案は、筒状体を、ハンガーバーに吊り下げられた衣類を収納する断面四角形状の有底中空体の本体部と、該本体部の上端開口部の対向縁に連結されて該上端開口部を封止する前フラップおよび後フラップと、上端開口部のうち前フラップおよび後フラップが付設されていない対向縁にそれぞれ基端側が連結されたサイドフラップとより構成され、サイドフラップを、先端側から筒状体の内側に向けて折り込んで３重に重ね、さらに３重に重ねた状態で本体部との連結線に沿って内側に向けて折り曲げて本体部の内壁に重ね、サイドフラップが本体部の内壁に重ねられた状態で、サイドフラップの下方側から１対の切り込みを設け、サイドフラップの先端側において１対の切り込み間に形成される下側ベロを本体部の内側に向けて折り曲げて、下側ベロよりも本体部の内側に形成された１対の切り込み間に嵌め込んで係止させてサイドフラップの折重ねを保持し、ハンガーバーを、サイドフラップに設けた切り欠きに両端を嵌め込むことによって組み付けるものとした。
また、１対の切り込みは、上方側に行くにしたがって、切り込み間の幅を狭くするものとした。
【０００６】
さらに、本体部のうち、前フラップが付設された前面において、縦方向の一方側の縁を上端から所定深さまで本体部の他の面と切り離し、該切り離しの最深部から、縦方向の他方側の縁に向かって伸びる所定長さの切り込みを設け、該切り込みの最深部から縦方向の他方側の縁の上端に向けて伸びる線を折れ曲がり線として、前面を本体部の外側に向けて折り曲げ可能とした。
ハンガーバーの近傍に伸びる後フラップに、上下方向に伸びる切り込みを設け、ハンガーバーに引っ掛けられるハンガーのフック部の先端を切り込みに差し込み可能とした。
【０００７】
ハンガーバーの両端部に、左右方向および下方に向かって伸びるベロを設け、本体部の上端部の切り欠きにハンガーバーの両端部を嵌め込んだ状態で、本体部の外側面にベロを貼り付けるものとした。
ハンガーバーを、断面四角形の管状本体部と、断面Ｖ字形状に形成されてＶ字形状の開口側を下方側に向けて管状本体部内に配置された芯材とより構成した。
本体部の底面を構成するフラップのうち、本体部の内側に位置するフラップを、本体部の外側に位置するフラップよりも短く形成するものとした。
【考案の効果】
【０００８】
本考案によれば、サイドフラップの先端側に形成される下側ベロを内側に折り曲げて切り込み間に嵌め込むことにより、サイドフラップの折り込みが広がることを簡素な構成によって防止することができ、折り込むことにより肉厚となったサイドフラップにてハンガーバーを支持することができるので耐久性が向上する。
また、１対の切り込みの間隔を上方側に行くにしたがい狭くすることにより、切り込み間に嵌め込んだ下側ベロが、１対の切り込み間から外れてしまうことを確実に防止することができる。
【０００９】
本体部の前面において、横方向に伸びる切り込みの最深部から上方に向けて伸びる折れ曲がり線で前面を折り曲げることにより、ハンガーボックスを大きく開口させることができる。
ハンガーバーの近傍に上下方向に伸びる切り込みを設けてハンガーのフック部の先端を差し込み可能としたことにより、ハンガーボックスが傾いたとしても、ハンガーがハンガーバー上をスライドしてハンガーに掛けた衣類が偏ることを防止することができる。
【００１０】
ハンガーバーの両端部に備えたベロを、本体部の外側面に貼り付けることにより、本体部がハンガーバーの長手方向に広がることを防止することができ、ハンガーバーの両端が本体部の切り欠きから脱落することがない。
ハンガーバー内に、断面Ｖ字形状の芯材を備えたことにより、ハンガーバーの強度を向上させることができる。
本体部の底面を構成するフラップのうち、本体部の内側に位置するフラップを本体部の外側に位置するフラップよりも短く形成したので、本体部の内側に位置するフラップの先端が本体部の内部で上方を向いたとしても、本体部の底面からの突出量が短いため、ハンガーボックス内に収納した衣類の裾に干渉することを防止できる。
【考案を実施するための最良の形態】
【００１１】
次に本考案の実施の形態を実施例により説明する。
図１は、本実施例におけるハンガーボックスの開放状態を示す斜視図であり、図２は、ハンガーボックスを封止した状態を示す斜視図である。
ハンガーボックス１は、筒状体２と、ハンガーバー３とを組み合わせることによって構成されている。
筒状体２は、ハンガーバー３に吊り下げられた衣類を収納する断面四角形の有底中空体の本体部２１と、上端側の開口部に対をなす前フラップ２２ａと後フラップ２２ｂとを有している。
対をなす前フラップ２２ａと後フラップ２２ｂは、本体部２１の上端開口部の対向縁に付設され、筒状体２の上端開口部を封止するものである。
なお図１中、後フラップ２２ｂは筒状体２の上端開口部を一部封止している状態を示し、前フラップ２２ａは筒状体２の上端開口部を開放している状態を示している。
筒状体２は、未使用状態では折り畳むことができるものである。
また筒状体２の対向する側面部には、取手用の孔１ｇが設けられている。
【００１２】
さらに筒状体２は、本体部２１の上端開口部において、前フラップ２２ａ、後フラップ２２ｂが設けられていない対向縁に、サイドフラップ３０ａ、３０ｂを備える。
サイドフラップ３０ａ、３０ｂは、詳しくは後述するが、内側に折り込まれている。
サイドフラップ３０ａ、３０ｂが折り込まれた状態で、本体部２１の上端開口部からサイドフラップ３０ａ、３０ｂおよび本体部２１に切欠き１０ａ、１０ｂが設けられている。
この切欠き１０ａ、１０ｂに、ハンガーバー３の両端部が嵌め込まれて支持されている。
【００１３】
本体部２１のうち前フラップ２２ａがつながる面（以下、前面１１と呼ぶ）は、下方側位置に横方向に所定長さの切り込み１２が設けられている。
前面１１は、切り込み１２の端部から前面１１の上方側角部に向けて伸びる折れ線Ｌ５に沿って、図１に示すように上方側の部位（以下、上方側部位１１ａと呼ぶ）が外側に向けて横向きに折り曲げ可能となっている。
【００１４】
図１に示すように、前面１１の上方側部位１１ａを外側に折り曲げて筒状体２を大きく開口することにより、衣類をかけたハンガーをハンガーバー３に引っ掛けやすくなる。
衣類をハンガーバー３にかけた後は、図２に示すように前面１１の上方側部位１１ａを閉じ、さらに前フラップ２２ａを閉じて、筒状体２を封止する。
後フラップ２２Ｂは、筒状体２を折り畳む場合を除いて、常時閉じられた状態で使用する。
【００１５】
次に、サイドフラップ３０ａ、３０ｂの折り込み状態の詳細について説明する。
サイドフラップ３０ａとサイドフラップ３０の折り込み構成は同一であるため、サイドフラップ３０ａを代表させて説明する。
図３に、サイドフラップ３０ａ、３０ｂを伸ばした状態を示し、図４に、サイドフラップ３０ａを折り込んだ断面を示す。
なお図３において、ハンガーボックス１の底面を構成する底側前フラップ４１、底側後フラップ４２、底側サイドフラップ４３Ａ、４３Ｂを開放した状態を示してあり、各フラップ４１〜４３Ａ、４３Ｂの詳細については後述する。
サイドフラップ３０ａには、本体部２１との連結部から順に折れ線Ｌ１、Ｌ２、Ｌ３が設けられている。
【００１６】
まず、サイドフラップ３０ａを折れ線Ｌ３で筒状体２の内側方向に向けて完全に折り曲げ、次に折れ線Ｌ２でサイドフラップ３０ａを完全に折り曲げる。
折れ線Ｌ３、Ｌ２で折り曲げられてサイドフラップ３０ａが３重に重なった状態で、折れ線Ｌ１でサイドフラップ３０ａを筒状体２の内側に完全に折り込んで、本体部２１の内壁に重ねる。
サイドフラップ７ｂも、サイドフラップ７ａと同様に筒状体２の内側に向けて折り込まれる。
【００１７】
図５に、サイドフラップ３０ａを内側から見た図を示し、図６に、サイドフラップ３０ａを伸ばした状態を示す。また図７に、図５におけるＡ−Ａ部断面を示す。
図５に示すように、サイドフラップ３０ａが筒状体２の内側に折り込まれた状態で、筒状体２の上方側開口部からサイドフラップ３０ａおよび本体部２１に、所定幅を有する切り欠き１０ａが設けられる。
サイドフラップ７ｂ側もサイドフラップ７ａ側と同様に、所定幅を有する切り欠き１０ｂ（図１参照）が設けられている。
ハンガーバー３は、切り欠き１０ａ、１０ｂと略同一の幅を有する四角柱に形成され、切り欠き１０ａ、１０ｂに両端が嵌め込まれる。
【００１８】
図５に示すように、サイドフラップ３０ａには、折り畳まれた状態で下方側から上方側に向かって２本１組の切り込み１５ａ、１５ｂが設けられている。
切り込み１５ａ、１５ｂは、上方側に行くにしたがって、それぞれ対となる切り込みの間隔が狭くなるように形成されている。
これによって図６に示すように、サイドフラップ３０ａにおける先端側の端部に下側ベロ１６ａ、１６ｂが形成される。
【００１９】
折れ線Ｌ２周りの切り込み１５ａは、対となる切り込み間を折れ線Ｌ２に沿って切断され、中側ベロ１７ａ、上側ベロ１８ａが形成されている。
同様に、折れ線Ｌ２周りの切り込み１５ｂは、対となる切り込み間を折れ線Ｌ２に沿って切断され、中側ベロ１７ｂ、上側ベロ１８ｂが形成されている。
【００２０】
特に図７に示すように、サイドフラップ３０ａが筒状体２の内側に折り込まれた状態で、サイドフラップ３０ａの先端に形成された下側ベロ１６ａ、１６ｂを、上側ベロ１８ａ、１８ｂとともに筒状体２の内側に折り曲げる。
この時、切り込み１５ａ、１５ｂの対となる切り込みの間隔を上方側に行くにしたがって狭くなるように形成したことにより、下側ベロ１６ａ、１６ｂが、切り込み１５ａ、１５ｂに確実に係合し、切り込み１５ａ、１５ｂから外れることがない。
サイドフラップ３０ｂ側もサイドフラップ３０ａ側と同様に、下側ベロが切り込みに係合している。
【００２１】
次に、ハンガーバー３に引っ掛けたハンガーがずれることを防止する構造について説明する。
図８は、ハンガーバー周りの拡大図である。
後フラップ２２ｂは、筒状体２の上端開口部の一部を封止するように折り曲げた後、その先端を下方側に向けて折り曲げ、さらに先端がハンガーバー３の下面に重なるようにハンガーバー３に向けて折り曲げてある。
ハンガーバー３と後フラップ２２ｂとは、接着等によって固定されている。
また、後フラップ２２ｂの先端を下方側に向けて折り曲げた際に形成された上下方向に広がる面（以下、縦面２３と呼ぶ）には、上下方向に伸びる切り込み２４が設けられている。
なお、切り込み２４は、ハンガーバー３の長さ方向に所定の間隔で複数設けられている。
【００２２】
ハンガーバー３にハンガー５０を引っ掛ける際に、ハンガー５０のフック部５１の先端を縦面２３の切り込み２４に差し込む。
これによりハンガーボックス１が傾いたとしても、ハンガー５０がハンガーバー３上をスライドしてハンガー５０に掛けた衣類が偏ってしまうといったことを防止することができる。
【００２３】
図９は、ハンガーボックス１の側面のうち、ハンガーバー３周りの拡大図である。
ハンガーバー３は、断面四角形の管状本体部３１と、管状本体部３１内に配置された芯材３２とで構成される。
芯材３２は、断面Ｖ字形状に形成されている。
芯材３２は、断面Ｖ字形状の開口側を下方側に向けて管状本体部３１の内部に配置されている。
管状本体部３１と、管状本体部３１内に配置された３２とによってハンガーバー３を構成したことにより、ハンガーバー３の強度が向上する。
【００２４】
またハンガーバー３は、図９に示すようにその端部において、下方に向かって伸びるベロ３Ｂと、左右方向に伸びるベロ３Ａ、３Ｃとを備える。
なお、図示しないハンガーバー３の他端側にも、左右方向と下方に向かって伸びる３つのベロを備える。
ハンガーバー３の両端を本体部２１の切り欠き１０ａ、１０ｂに嵌め込んだ状態で、ベロ３Ａ〜３Ｃを本体部２１の外側面に貼り付ける。
これにより、本体部２１がハンガーバー３の長手方向に広がることを防止することができ、ハンガーバー３の両端が切り欠き１０ａ、１０ｂから脱落することがない。
【００２５】
図３に示すように、本体部２１は、ハンガーボックス１の底面側の端部に、底側前フラップ４１と、底側後フラップ４２と、底側サイドフラップ４３Ａ、４３Ｂとを備える。
各フラップ４１〜４３Ａ、４３Ｂを内側に折り曲げて固定することによりハンガーボックス１の底面が形成される。
底側サイドフラップ４３Ａ、４３Ｂは、底側前フラップ４１や底側後フラップ４２と比較して長さが短く形成されている。
各フラップ４１〜４３Ａ、４３Ｂを内側に折り曲げる際には、まず底側サイドフラップ４３Ａ、４３Ｂを内側に折り曲げた後、底側前フラップ４１と底側後フラップ４２とを内側に折り曲げる。
長さの短い底側サイドフラップ４３Ａ、４３Ｂをハンガーボックス１の内側に位置させることにより、底側サイドフラップ４３Ａ、４３Ｂの折り込み量が多過ぎてその先端が上側を向いたとしても、ハンガーボックス１の内部で底部から上方に向けて底側サイドフラップ４３Ａ、４３Ｂが突出する長さを短くすることができる。
これにより、ハンガーボックス１の内部で上方側に向けて突出した底側サイドフラップ４３Ａ、４３Ｂの先端が、ハンガーボックス１内部に収納した衣類等の裾に接触することが防止され、衣類等を破損するおそれがなくなる。
【００２６】
本実施例は、以上のように構成されているので、折り畳んだサイドフラップ３０ａ、３０ｂに下方側から切り込み１５ａ、１５ｂを設け、サイドフラップ３０ａ、３０ｂの先端側に形成された下側ベロ１６ａ、１６ｂを上側ベロ１８ａ、１８ｂとともに内側に折り曲げることにより、下側ベロ１６ａ、１６ｂが切り込み１５ａ、１５ｂ間に嵌め込まれて係止され、折り畳んだサイドフラップ３０ａ、３０ｂが広がってしまうことを防止することができる。
そして、折り畳むことによって肉厚となったサイドフラップ３０ａ、３０ｂに形成された切欠き１０ａ、１０ｂによってハンガーバー３を支持することとなり、ハンガーボックス１の耐久性を向上させることができる。
また、１対の切り込みの間隔を上方側に行くにしたがい狭くすることにより、切り込み間に嵌め込んだ下側ベロが、１対の切り込み間から外れることを確実に防止することができる。
【００２７】
折れ線Ｌ５に沿って前面１１の上方部位１１ａを折り曲げることにより、ハンガーボックス１の開口部を大きく確保することができる。
ハンガーバー３の近傍に切り込み２４を設けてハンガーのフック部の先端を差し込み可能としたので、ハンガーボックス１が傾いたとしても、衣類が偏ることが防止できる。
また、ハンガーバー３の内部に断面Ｖ字形状の芯材３２を備えることによりハンガーバー３の強度を向上させることができる。
【００２８】
ハンガーバー３の両端部にベロを設けて本体部２１の外側面に貼り付けることにより、本体部２１がハンガーバー３の長手方向に広がることを防止することができ、ハンガーバー３の両端が切り欠き１０ａ、１０ｂから脱落することがない。
ハンガーボックス１の底面を構成する各フラップ４１〜４３Ａ、４３Ｂのうち、ハンガーボックス１の内側に位置する底側サイドフラップ４３Ａ、４３Ｂの長さを短く形成したので、底側サイドフラップ４３Ａ、４３Ｂの先端が上方側を向いても、ハンガーボックス１内の衣類と干渉することを防止できる。
【図面の簡単な説明】
【００２９】
【図１】ハンガーボックスを開放した状態を示す斜視図である。
【図２】ハンガーボックスを封止した状態を示す斜視図である。
【図３】サイドフラップを伸ばした状態を示す図である。
【図４】サイドフラップの折り畳み状態を示す図である。
【図５】折り畳んだサイドフラップを内側から見た図である。
【図６】伸ばしたサイドフラップを内側から見た図である。
【図７】図５におけるＡ−Ａ部断面を示す図である。
【図８】ハンガーバー周りを示す拡大図である。
【図９】ハンガーバーを側面から見た拡大図である。
【図１０】従来のハンガーボックスを示す図である。
【符号の説明】
【００３０】
１      ハンガーボックス
２      筒状体
３      ハンガーバー
３Ａ〜３Ｂ      ベロ
１０ａ、１０ｂ      切り欠き
１１      前面
１５ａ、１５ｂ      切り込み
１６ａ、１６ｂ      下側ベロ
１７ａ、１７ｂ      中側ベロ
１８ａ、１８ｂ      上側ベロ
２１        本体部
２２ａ      前フラップ
２２ｂ      後フラップ
２３        縦面
３０ａ、３０ｂ      サイドフラップ
３１      管状本体部
３２      芯材
４１      底側前フラップ
４２      底側後フラップ
４３Ａ、４３Ｂ      底側サイドフラップ
【図１】
0003129680.tif 000003
【図２】
0003129680.tif 000004
【図３】
0003129680.tif 000005
【図４】
0003129680.tif 000006
【図５】
0003129680.tif 000007
【図６】
0003129680.tif 000008
【図７】
0003129680.tif 000009
【図８】
0003129680.tif 000010
【図９】
0003129680.tif 000011
【図１０】
0003129680.tif 000012